(57)【要約】      （修正有）【課題】メニューアイコンを、操作ボタンやタッチパネルを使用せず、直感的な操作で選択可能とするデジタルカメラの提供。【解決手段】レリーズボタンを所定時間以上継続して押下した時に（全押し状態の継続）、撮像した第１の画像データに対するメニューアイコンを表示する。アイコンが表示された状態でカメラを傾けると、第２の画像データを取得し、第１の画像データとの相関によりカメラの姿勢の変化を検知する。姿勢変化の検知結果に対応するアイコンを選択し、第１の画像データに対して処理を行うよう制御する。【選択図】図４
2010191878.tif 000002
【特許請求の範囲】
【請求項１】
画像を表示する画像処理装置において、
第１の画像データを基に生成された前記画像と前記第１の画像データに対する処理内容を示した項目とを表示する表示手段と、
前記第１の画像データと前記第１の画像データよりも後に生成された第２の画像データの相関より、該画像処理装置の姿勢の変化を検知する検知手段と、
前記項目の示す処理内容を前記第１の画像データに対して行う処理手段と、
前記検知手段の検知結果に応じて前記第１の画像データに対して前記項目が示す処理を行うよう処理手段を制御する制御手段とを有することを特徴とする画像処理装置。
【請求項２】
前記表示手段により表示されている表示物を移動させる移動手段を有し、
前記移動手段は前記検知手段の検知結果に応じて前記表示手段に表示された前記表示物を画面内で移動させ、
前記制御手段は、前記移動手段によって移動した前記表示物の位置に存在する前記項目の示す処理内容に基づいて前記第１の画像データに対して処理を行うよう前記処理手段を制御することを特徴とする請求項１に記載の画像処理装置。
【請求項３】
前記移動手段により移動される表示物は前記画像であることを特徴とする請求項２に記載の画像処理装置。
【請求項４】
前記表示手段はさらに前記項目を選択するためのカーソルまたはアイコンを表示し、前記移動手段により移動される表示物は前記カーソルまたはアイコンであることを特徴とする請求項２に記載の画像処理装置。
【請求項５】
前記表示手段が表示する前記表示物が２つ以上の前記項目に重ならない大きさであることを特徴とする請求項２ないし４のいずれか一項に記載の画像処理装置。
【請求項６】
被写体を撮像する撮像手段と、
前記撮像手段により撮像された前記画像データを記録する記録手段とを有することを特徴とする請求項１ないし５のいずれか一項に記載の画像処理装置。
【請求項７】
画像を表示する画像処理装置の画像処理方法において、
第１の画像データを基に生成された前記画像と前記第１の画像データに対する処理内容を示した項目とを表示する表示ステップと、
前記第１の画像データと前記第１の画像データよりも後に生成された第２の画像データの相関より、該画像処理装置の姿勢の変化を検知する検知ステップと、
前記検知ステップでの検知結果に応じて前記第１の画像データに対して前記項目が示す処理を行う処理ステップとを有することを特徴とする画像処理方法。
【発明の詳細な説明】
【技術分野】
【０００１】
本願発明は、画像処理装置に関し、画像と項目とが同一画面内に表示されていて、装置の姿勢の変化によって選択された項目に基づいた処理を画像に対して行う画像処理装置、および、画像処理方法に関する発明である。
【背景技術】
【０００２】
従来のデジタルカメラ等の画像処理装置は、筐体にレリーズボタンやズームレバー等の操作部を有し、この操作部を操作することで各種動作をさせることができる。また、液晶表示器等の表示部が設けられ、該表示部に撮影画像を表示することができるものも広く知られている。また、近年ではデジタルカメラの画像を表示する表示画面の前面にタッチパネルを設け、タッチパネルのタッチ操作によってデジタルカメラを制御するシステムが提案されている。
【０００３】
特許文献１ではデジタルカメラで撮影した映像を表示する表示装置にデジタルカメラの操作項目を重ねて表示するとともに画像表示部にタッチパネルを設け、操作項目を指で触ってデジタルカメラを操作する方法が提案されている。
【０００４】
一方、画像処理装置の姿勢の変化を利用し、画像に対して処理を行うといったシステムも提案されている。特許文献２ではデジタルカメラの傾きを検知し、その検知結果に基づいて画像をスライドさせることにより、直感的なスライドショーやコマ送りといった画像の閲覧方法が提案されている。
【先行技術文献】
【特許文献】
【０００５】
【特許文献１】特開平１１−１４６３１７号公報
【特許文献２】特開２００７−４９４８４号公報
【発明の概要】
【発明が解決しようとする課題】
【０００６】
しかしながら、従来までは画像に対して色や明るさの補正を行う作業や画像を削除するといった処理をおこなうためには、操作ボタンやタッチパネルを手やタッチペン等の補助具を使用して決定していたため、直感的でなく操作が煩わしいという問題点があった。また、直感的な操作を用いた画像処理装置においても、その用途は画像の閲覧に使用されており、可能な処理に制限があった。画像に対する記録メディアの容量が大きくなっていき、撮影画像の枚数はどんどん増えていく中で、撮影後の画像に対する処理を簡単な動作で行えることが求められている。
【０００７】
本願発明はこのような事情に鑑みてなされたもので、処理対象である画像と処理内容を示した項目を同一画面内に表示することで画像に対して直感的に処理をおこなうことができる画像処理装置、および、画像処理方法を提供することを目的とする。
【課題を解決するための手段】
【０００８】
上記目的を達成するため、本発明では、画像を表示し、前記画像の画像データに対して処理を行う画像処理装置において、第１の画像データを基に生成された画像と第１の画像データに対する処理内容を示した項目とを画面に表示し、第１の画像データとこの第１の画像データよりも後に生成された第２の画像データの相関より、画像処理装置の姿勢の変化を検知し、第１の画像データに対して姿勢の変化の検知結果に応じた処理を行うよう制御することを特徴とする。
【発明の効果】
【０００９】
本願発明によれば、画像に対する様々な処理を直感的かつ簡単な操作により選択することが可能な画像処理装置、および、画像処理方法を提供することができる。
【図面の簡単な説明】
【００１０】
【図１】本願発明に適用される画像処理装置の背面図である。
【図２】本願発明に適用される画像処理装置のブロック図である。
【図３】本願発明の実施形態に適用される画像処理装置の処理手順を示す図である。
【図４】図３により示される手順を実際の装置の動きで示す図である。
【図５】サムネイル画像の大きさを複数のアイコンと重ならないように制御した図である。
【図６】図４の変形例を示す図である。
【図７】図４の他の変形例を示す図である。
【図８】図４の更に他の変形例を示す図である。
【図９】図４の更に他の変形例を示す図である。
【発明を実施するための形態】
【００１１】
次に、添付図面を参照しながら本願発明に適用される画像処理装置の実施の形態について説明する。図１は本願発明に適用される画像処理装置の実施形態の背面図である。以下の説明では、本願発明の画像処理装置をデジタルカメラに適用した例について説明する。
【００１２】
図１において、１００は画像処理装置であり本実施例では具体的にはデジタルカメラを表している。
【００１３】
１０１は撮影画像や再生画像、各種のデータ、操作メニュー、アイコン等を表示するための表示部であり、例えば、ＬＣＤ（Ｌｉｑｕｉｄ  Ｃｒｙｓｔａｌ  Ｄｉｓｐｌａｙ）等である。また表示部を複数用意し、複数の表示部間を１つの画面のように使用するといったことも可能である。１０２は電源のＯＮ／ＯＦＦを切り替えるパワーボタンである。１０３は記録装置から画像を読み出す再生モードに切り替える再生ボタンである。１０４はメニュー等の選択において上下左右にカーソルを移動させるための四方向キーである。
【００１４】
１０５はメニューの内容などを決定するＯＫボタンである。１０６は表示部１０１の画面の表示内容を切り替えて処理モードのアイコンの表示・非表示を行う表示ボタンである。１０７は装置の各種設定を変更するためのメニューボタンである。１０８は撮影動作開始の指示入力をするレリーズボタンであり、半押しと全押しとからなる２段ストローク式の２段スイッチで構成される。このレリーズボタン１０８の半押しで第一のスイッチがオン状態となってカメラはＡＥ／ＡＦが作動し、全押しで第二のスイッチがオン状態となって被写体の撮影が行なわれる。１０９はアイコンの切替ボタンである。
【００１５】
表示部１０１には、撮影画像のサムネイル画像２０１が表示されている。サムネイル画像２０１は、保存用の画像データに対して、画素数を減少させるリサイズ処理を行うことで生成される。サムネイル画像２０１と同一画面内に表示されている２０２〜２０９は、サムネイル画像２０１の元となる保存用の画像データに対する処理の内容を表す項目としてのアイコンである。
【００１６】
２０２は画像をフォルダに保存する保存アイコンである。２０３は画像をメールにて送信するメールアイコンである。２０４は画像に対してプロテクトをかけるプロテクトアイコンである。２０５は画像を削除する処理を実施するごみ箱アイコンである。２０６は保存用の画像データから人物の顔を検出し、検出した顔の明るさや色が最適な値となるよう、保存用の画像データに対して輝度補正および色補正を行う顔優先補正アイコンである。２０７は保存用の画像データから人物の顔を検出し、検出した顔の部分の画像データを拡大表示する顔拡大表示アイコンである。２０８は保存用の画像データから人物の赤目を検出し、この赤目を自然な色に補正する赤目補正アイコンである。２０９は予め設定しておいた補正モードに沿って、保存用の画像データの色を補正するカスタム色処理アイコンである。
【００１７】
図１においては各種アイコン２０２〜２０９が全てに表示されているが、切替ボタン１０９により用途別、種類別に分類したカテゴリごとにアイコンを切り替えてもよい。例えば画像データに対して局所的な補正を行うカテゴリ、画像データに対して削除・プロテクトといった全体的な処理を行うカテゴリにアイコンを分類し、切り替えるといったことも可能である。尚、本願発明に用いる項目はその形状に関わらず、処理内容、命令を示すものであればよく、例えば上記の処理以外にもその他一般的に画像に対して行う処理全般に対応した項目を使用してもよい。また、項目の形状の例としては上記のアイコンに限らず、幾何学模様、図形などのマーク、その他文字または色によって処理内容を分類したものも、本願発明の項目として使用可能である。
【００１８】
次に、本願発明に適用される画像処理装置１００のブロック図を図２に示す。まず構成について説明する。
【００１９】
３０１はレンズ３０２の制御を行うレンズ制御部である。３０２はズームレンズやフォーカスレンズを含むレンズである。３０３はレンズ３０２を透過した被写体光を受け、被写体光の光量に応じた電荷を蓄積することで画像データを生成し、出力する撮像素子としてのＣＣＤである。撮像素子としては、ＣＣＤの代わりにＣＭＯＳセンサーを用いてもよい。３０４は信号処理を行う映像エンジンである。３０６は画像及び属性や撮影日時など画像に関する付加情報が記録される記録装置である。３０７は映像信号を出力するＶＩＤＥＯ  ＯＵＴ端子である。３０８は音声信号を主力するＡＵＤＩＯ  ＯＵＴ端子である。３０９は音声を入力するためのマイクである。３１０はアナログからデジタルへの変換を行うＡ／Ｄ変換器である。３１１はＣＰＵであり内部にモード切換え部３１５、制御部３１９、アイコン表示指示部３２０が内蔵されている。
【００２０】
３１２はデジタルからアナログへの変換を行うＤ／Ａ変換器である。３１３は音声信号を音声として出力するスピーカである。３１４は外部との転送を行う通信端子である。３１５は各種モードの切り換えを行うモード切換え部である。３１６は操作部であり、内部に前述の各種ボタンが含まれる。３１７はＣＣＤ３０３により連続的に取得される画像データのフレーム間の相関から、画像データの特定領域の動きベクトルを検知する動きベクトル検知部である。３１９はメモリー３２１に記録されているプログラムに基づいて画像処理装置１００の制御を行う制御部である。３２０はアイコン表示指示部である。３２１はメモリーであり図３の流れを示すプログラムが記録されている。
【００２１】
次に、上記の構成の簡単な流れについて説明する。
【００２２】
レンズ制御部３０１により駆動されるレンズ３０２を通した被写体の光がＣＣＤ３０３の撮像面上に結像する。その光がＣＣＤ３０３により光電変換され、その出力が信号処理部である映像エンジン３０４により信号処理され、かつ、保存用の画像データと、この画像データから生成されたサムネイル画像データに分けられて記録装置３０６に出力される。
【００２３】
また、撮影時と再生時に、映像エンジン３０４から表示部１０１やＶＩＤＥＯ  ＯＵＴ端子３０７に映像信号が出力され、音声信号はＡＵＤＩＯ  ＯＵＴ端子３０８に出力される。
【００２４】
また、動画撮影時やアノテーションのためにマイク３０９が装備されており、Ａ／Ｄ変換器３１０を通してマイク３０９により入力された音声がＡ／Ｄ変換されてデジタル信号となり、ＣＰＵ３１１に入力されて記録装置３０６に記録される。再生時には、記録装置３０６からＣＰＵ３１１が読み取った信号を、Ｄ／Ａ変換器３１２に送り、その先につながるスピーカー３１３を鳴らすことにより音声を再生できる。
【００２５】
この他、ＣＰＵ３１１と通信するための通信端子３１４があり、ＵＳＢ等により外部機器と通信することができるようになっている。前述のように、記録装置３０６に記録された映像や音声のデジタルデータをＣＰＵ３１１が読み込んで、通信端子３１４を通してパソコンに転送できる。モード切換え部３１５は操作部３１６の操作に応じて、画像処理装置の撮影モードや再生モード、画像データに対して各種処理を行う、また属性を付加させるといった処理モードなどの各種モードの切り換えを行い、ＣＰＵ３１１に接続されている。
【００２６】
画像処理装置１００の姿勢の変化を検知するための手段として、映像エンジン３０４は、動きベクトル検知部３１７を備えている。この動きベクトル検知部３１７は、複数の画像データのフレーム間の相関から、画像データの特定領域の動きベクトルを検知し、制御部３１９はこの結果を基に画像処理装置１００の傾きを判断する。例えば、動きベクトル検知部３１７が画像データ中の特定領域が右側に移動したと判断したのであれば、制御部３１９はユーザーよって画像処理装置１００の右側が奥に倒されたと判断する。画像データ中の特定領域が上に移動したと判断したならば、画像処理装置１００は上側が、画像データ中の特定領域が左上に移動したと判断したならば、画像処理装置１００は左上側が奥に倒されたと制御部３１９は判断する。
【００２７】
ここで、被写体に動体が含まれていると、この動体から検知された動きベクトルによって、画像処理装置１００が傾いていないにも関わらずに、傾いたと判断してしまうおそれがある。そのため、動きベクトル検知部３１７は、画像データを複数の領域に分割して、それぞれの領域毎に動きベクトルを求め、動きベクトルが類似した領域を同じグループとしてまとめる。そして、画面の端部を占める割合の高いグループに背景が多く含まれているものとして、このグループに属する領域を特定領域とし、この特定領域から得られた動きベクトルを制御部３１９に出力する。制御部３１９はこの動きベクトルを基に画像処理装置１００の傾きを判断する。なお、画像データから動きベクトルを検出する方法としては様々なものが公知であり、画像データの動きベクトルを求める方法が上述のものに限定されないことは言うまでもない。
【００２８】
そして、制御部３１９は動きベクトル検知部３１７が検知した動きベクトルの方向に、検知した動きベクトルの大きさに応じた速度で、表示部１０１に表示されている表示物であるサムネイル画像２０１を表示部１０１上で移動させる。
【００２９】
操作部３１６によりアイコン決定の操作が行われたときに、表示部１０１上でサムネイル画像２０１が設定されているアイコンに対応した処理の実施及び属性の関連付けを行い、作成された画像データを記録装置３０６に記録させる。
【００３０】
さらに、画像処理装置１００は撮像を指示するレリーズボタン１０８、表示ボタン１０６、再生ボタン１０３、ＯＫボタン１０５、四方向キー１０４、パワーボタン１０２、メニューボタン１０７からなる操作部３１６を有している。この操作部３１６の操作結果に応じて制御部３１９は検知結果に応じた位置に存在するアイコンに応じた処理を行う。
【００３１】
また、操作部３１６はアイコンを表示することを指示するためのアイコン表示指示部３２０に接続されており、操作部３１６の操作に応じてアイコン表示指示部３２０はアイコン２０２〜２０９を表示や切り替えを行う。
【００３２】
図３は本願発明の実施形態において、撮影モードで撮影した画像に対して画像処理装置１００の傾きの変化を動きベクトル検知部３１７により検知し、その検知結果に応じて選択されたアイコンが示す処理を行う手順の例を示す図である。この図３に示す手順は、メモリー３２１から読み出された制御プログラムに基づいて、制御部３１９によって制御される。
【００３３】
また、図４は図３により示される手順を実際の装置の動きで示す図である。なお、図１における画像処理装置１００に対して左右方向をＸ軸、上下方向をＹ軸と定義する。
【００３４】
以下に制御部３１９による制御の流れをステップごとに詳細に説明する。レリーズボタン１０８が半押しされることによって、図３に示される手順が開始されるものとする。
【００３５】
ステップＳ４０１では、レリーズボタン１０８が半押し状態となり第一のスイッチがオン状態となったことが確認される。
【００３６】
ステップＳ４０２では、レンズ制御部３０１によってＡＦ（オートフォーカス）、ＡＥ（自動露出）、ＡＷＢ（オートホワイトバランス）が設定され画像処理装置１００が撮影準備状態になる。
【００３７】
ステップＳ４０３では、レリーズボタン１０８が全押し状態となり第二のスイッチがオン状態となったことが確認される。レリーズボタン１０８が全押し状態にならなければ、ステップＳ４０１とＳ４０２を繰り返し、レリーズボタン１０８が全押し状態となるとステップＳ４０４に進む。
【００３８】
ステップＳ４０４では、レンズ３０２を透過した被写体像がＣＣＤ３０３により光電変換され、その出力が信号処理部である映像エンジン３０４により信号処理されて保存用の画像データが出力される。
【００３９】
ステップＳ４０５では、映像エンジン３０４により、保存用の画像データをリサイズすることで表示部１０１全画面大の大きさの画像が作成され、表示部１０１に表示される（図４の上図を参照）。
【００４０】
ステップＳ４０６では、映像エンジン３０４において保存用の画像データをリサイズしてサムネイル画像２０１が生成される。
【００４１】
ステップＳ４０７では、レリーズボタン１０８の第二のスイッチが一定時間以上全押し状態にあるか否かを制御部３１９が判定する。第二のスイッチが一定時間以上全押し状態でなければ、ステップＳ４０４で出力された保存用の画像データを記録装置３０６に記録させてこのフローチャートを終了する。第二のスイッチが一定時間以上全押し状態であればステップＳ４０８に進む。
【００４２】
ステップＳ４０８では、モード切換え部３１５において画像処理装置のモードを、保存用の画像データに画像処理行う、あるいは、保存用の画像データに属性を付加させるといった処理モードに移行する。
【００４３】
ステップＳ４０９では、保存用の画像データに対する処理内容を示すアイコン２０２〜２０９を表示部１０１に表示する。
【００４４】
ステップＳ４１０では、映像エンジン３０４により表示部１０１にサムネイル画像２０１を表示する（図４の中図を参照）。
【００４５】
ステップＳ４１１では、制御部３１９が、動きベクトル検知部３１７にて得られた動きベクトルから画像処理装置１００の傾きを判断する。このステップＳ４１１では、まずＣＣＤ３０３が時系列に連続して画像データを生成する。これらの画像データは表示部１０１での表示に用いられずに、動きベクトル検知部３１７に出力される。動きベクトル検知部３１７は、ステップＳ４０４で出力された保存用の画像データと、これらの連続した複数フレームの画像データの相関を求め、保存用の画像データに対して、それぞれのフレームの画像データがどの方向に移動しているかを検知する。すなわち、動きベクトル検知部３１７はＣＣＤ３０３が生成した最新の第２の画像データと保存用の第１の画像データの相関から、最新の第２の画像データが保存用の第１の画像データに対してどの方向に移動しているかを示す動きベクトルを検知する。この動きベクトルは、ＣＣＤ３０３にて新たな画像データが生成されるたびに更新され、制御部３１９は画像処理装置１００がどのように傾いているかをリアルタイムで判断することができる。
【００４６】
ステップＳ４１２では、映像エンジン３０４において、画像処理装置１００が傾けられた方向にサムネイル画像２０１を動かし、サムネイル画像２０１をアイコン２０２から２０９のいずれかの位置に移動させる（図４の下図を参照）。例えば、画像処理装置１００の上部を奥に倒せば、動きベクトル検知部３１７によって画像データが上側に移動したことが検知され、サムネイル画像２０１が表示部１０１の上方側に移動する。また、右部を奥に倒した場合には、動きベクトル検知部３１７によって画像データが右側に移動したことが検知され、右方向に移動する。また、サムネイル画像２０１を動きベクトル検知部３１７で検知された方向と全く同じ方向に移動させるのではなく、アイコンの配置に合わせて、動きベクトル検知部３１７が検知した傾きの方向に最も適するアイコンに向かって移動させてもよい。
【００４７】
尚、図４にはアイコンとサムネイル画像２０１が重なった際に、アイコンを前面に表示しているが、サムネイル画像２０１を前面に表示してもよい。または一方を透過させ両方を見ることが出来るように表示してもよく、それらの表示方法を任意で選択できるようにしてもよい。
【００４８】
ステップＳ４１３では、レリーズボタン１０８の第二のスイッチがオフ状態にあるか否かを制御部３１９が判定し、第二のスイッチがオフ状態になっていなければＳ４１１に移行し、画像処理装置１００の傾きを検知し続ける。すなわち、第二のスイッチがオンされている間は、画像処理装置１００を傾けることで何度でもサムネイル画像２０１を表示部１０１内で移動させる方向を変更することができる。そして、第二のスイッチがオフ状態となったと判定されると、ステップＳ４１４に進む。
【００４９】
ステップＳ４１４では、レリーズボタン１０８の第二のスイッチががオフ状態になったときに、サムネイル画像２０１が重なっているアイコンを１つ選択し、そのアイコンに対応する処理を保存用の画像データに対して行う。例えば、サムネイル画像２０１がごみ箱アイコン２０５に重畳していたのであれば、制御部３１９の制御によりごみ箱アイコン２０５の位置に設定されているサムネイル画像２０１に対応した保存用の画像データが削除される。またサムネイル画像２０１が顔拡大表示アイコン２０７に重畳していたのであれば保存用の画像データから人物の顔を検出し、検出した顔の部分の画像データが拡大表示される。このアイコンの処理を行うことで撮影した画像に含まれる顔の詳細な表情やピント状態を確認することができる。このとき処理を行う前に保存用の画像データに対してアイコンが示す処理を本当に実行するかどうかをユーザに選択させてもよい。
【００５０】
ステップＳ４１５では、処理モードを終了する。
【００５１】
このように処理対象である保存用の画像データに対応するサムネイル画像２０１と、この保存用の画像データに対する処理内容を示すアイコンとを共に表示させ、サムネイル画像２０１を画像処理装置１００の姿勢の変化に応じて移動させる。そして移動した後の位置にあるアイコンに基づき処理を行うことで、タッチパネルや装置に付随されているボタンを操作するといった煩わしい操作をすることなく、直感的な操作により画像に対して処理を行うことができる。
【００５２】
次に、図４のステップＳ４１３において、サムネイル画像２０１が複数のアイコン上に位置していた場合にどのように対処するかについて説明する。この場合例えばサムネイル画像２０１がアイコンと重なっている面積をそれぞれのアイコンで映像エンジン３０４の情報を基にＣＰＵ３１１によって算出し、重なっている面積がより大きいほうのアイコンに基づいた処理を行うといった方法が考えられる。その他、面積ではなくサムネイル画像２０１及びアイコンの重心間距離をＣＰＵ３１１によって算出し、重心間距離のが短いアイコンが優先的に処理されるようにしてもよい。また、サムネイル画像２０１と重なっているアイコン全ての処理を行ってもよい。さらに以上説明した複数の方法を任意に切り替え使用状況に適した処理を行うことも可能である。
【００５３】
また、はじめからアイコンもしくはサムネイル画像２０１の大きさをアイコン表示指示部によって制御することで、サムネイル画像２０１が複数のアイコンに重ならないようにしてもよい。この場合、図５に示すようにサムネイル画像のＸ軸方向の長さをＸ軸方向のアイコンの間隔より小さく、Ｙ軸方向の長さをＹ軸方向のアイコンの間隔より小さくすることで、サムネイル画像２０１と複数のアイコンが重なるのを防ぐことが可能である。このようにアイコンの大きさを制御することで、常に一意のアイコンが選択され処理を行うことができる。
【００５４】
本実施形態ではレリーズボタン１０８の第二のスイッチがオフ状態にあるか否かが制御部３１９に確認されることにより、処理モードを終了し処理を行った。しかし、処理モードの開始後、サムネイル画像２０１が移動し、アイコンに重なったことが制御部３１９に確認された時点で処理モードを終了し最初に重なったアイコンが示す処理を保存用の画像データに対して行うような仕様でもかまわない。
【００５５】
なお、上記実施形態では、動きベクトル検知部３１７の検知結果に応じてサムネイル画像２０１を移動させていたが、これに限られるものではない。
【００５６】
図６は、図４の変形例であり、動きベクトル検知部３１７の検知結果に応じて、サムネイル画像２０１は動かさずに、カーソルを動かす例を示す図である。図６では、画像処理装置の左部を奥に倒すことで、サムネイル画像２０１とは別に生成されたカーソルが左側に動き、メールアイコンを重畳する例を示している。
【００５７】
図７も、図４の変形例であり、動画撮影後に、動きベクトル検知部３１７の検知結果に応じて、保存用の画像データが動画であることを表すアイコンを動かす例を示す図である。図８も、図４の変形例であり、連写撮影後に、動きベクトル検知部３１７の検知結果に応じて、保存用の画像データが連写撮影にて得られた複数の静止画であることを表すアイコンを動かす例を示す図である。このように、動きベクトル検知部３１７の検知結果に応じて、撮影された保存用の画像データの特性を示すアイコンを移動させる構成としても構わない。
【００５８】
図９も、図４の変形例であり、静止画撮影後に、動きベクトル検知部３１７の検知結果に応じて、保存用の画像データを表示部１０１にあわせてリサイズした画像を動かす例を示す図である。このように、撮影画像の確認用に用いられる画像自体を移動させる構成としても構わない。
【００５９】
上記した実施形態においては本願発明に適用する画像処理装置としてデジタルカメラを例に挙げて説明した。しかし、デジタルカメラのほか、例えばＤＶＤ再生装置（ＤＶＤデッキ、ポータブルテレビ）や、携帯情報端末（ＰＤＡ）、携帯電話等の画像再生機能を有する装置一般に適用することができる。
【００６０】
また本願発明のその他の実施形態として、処理内容を示す項目を表示しの選択を行う部分と選択された処理を実行する部分が分離されていてもよい。例えばアイコンを表示する表示部と動きベクトル検知部といった姿勢の変化を検知する機能が画像処理装置とは別体の可搬装置内にあり、可搬装置で選択された処理を画像処理装置において行うといった構成が考えられる。その場合、可搬装置の姿勢の変化の検知または可搬装置の操作部の操作によって保存用の画像データに対する処理内容を示す項目の選択を行う。そして可搬装置において選択された情報が画像処理装置へ送信され、制御部の制御により画像処理装置において保存用の画像データに対して可搬装置で選択された処理が行われる。
【００６１】
また、前述の実施例において、プログラムで発明を実現する例を示したが、プログラムで実現する機能の一部又は全部をハードウエアに置き換えることも容易に考えられる。
【符号の説明】
【００６２】
１００  画像処理装置
１０１  表示部
２０１  サムネイル画像
２０２  保存アイコン
２０３  メールアイコン
２０４  プロテクトアイコン
２０５  ごみ箱アイコン
２０６  顔優先補正アイコン
２０７  顔拡大表示アイコン
２０８  赤目補正アイコン
２０９  カスタム色処理アイコン
３０４  映像エンジン
３０６  記録装置
３１１  ＣＰＵ
３１７  動きベクトル検知部
３１９  制御部
３２０  アイコン表示指示部
３２１  メモリー
【図１】
2010191878.tif 000003
【図２】
2010191878.tif 000004
【図３】
2010191878.tif 000005
【図４】
2010191878.tif 000006
【図５】
2010191878.tif 000007
【図６】
2010191878.tif 000008
【図７】
2010191878.tif 000009
【図８】
2010191878.tif 000010
【図９】
2010191878.tif 000011